(57)【要約】【課題】優れた強度を有する連結用リングを提供する。【解決手段】射出成形によって製作された合成樹脂製の連結用リング(1)であって、主環体(10)の内周部に環の内方に突出する回動阻止部(11)を有し、前記回動阻止部(11)によって主環体(10)が該リング(1)が取り付けられる取付側環部(13)と該リング(1)に連結される連結側環部(12)とに区分され、成形用金型内に注入された樹脂が融合するウエルド部（Ｗ３）が取付側環部(13)に形成され、連結側環部(12)にウエルド部を有さないことを特徴とする。【選択図】  図１Ａ
2007105259.tif 000002
【特許請求の範囲】
【請求項１】
射出成形によって製作された合成樹脂製の連結用リングであって、主環体の内周部に環の内方に突出する回動阻止部を有し、前記回動阻止部によって、前記主環体が該リングを取り付ける取付側環部と該リングに連結される連結側環部とに区分され、成形用金型内に注入された樹脂が融合するウエルド部が前記取付側環部に形成され、前記連結側環部にウエルド部を有さないことを特徴とする連結用リング。
【請求項２】
前記回動阻止部は、主環体内に架設されたブリッジである請求項１に記載の連結用リング。
【請求項３】
前記回動阻止部は、主環体の内周部において所定距離を隔てて設けられた２つの突起である請求項１に記載の連結用リング。
【請求項４】
前記取付側環部内に、前記回動阻止部に並行する第２ブリッジが架設されている請求項１〜３のいずれか１項に記載の連結用リング。
【請求項５】
前記主環体は馬蹄形またはＤ字形に形成され、円形側が連結側環部となされ、角形側が取付側環部となされている請求項１〜４のいずれか１項に記載の連結用リング。
【請求項６】
帯状のシートの一端部に、請求項１〜５のいずれか１項に記載された連結用リング２個が取付側環部において取り付けられたベビースリングであって、前記シートの他端側を前記２個の連結用リングの連結側環部から引き出し、さらにこれらの連結用リングの連結側環部の間をくぐらせて拘束することにより環状に連結されることを特徴とするベビースリング。
【発明の詳細な説明】
【技術分野】
【０００１】
この発明は、シートやベルトの連結に用いる連結用リング、ならびにこの連結用リングを用いたベビースリングに関する。
【背景技術】
【０００２】
ベビースリングは帯状のシートを環状に形成した抱持補助具であり、使用者の一方の肩にたすき掛けにし、幼児の身体を包み込むようにして保持するものである。一般に、帯状のシートを環状にするための連結具として円形リングが用いられ、シートの一端部に２つの円形リングを取り付け、他端側を２つの円形リングから引き出し、さらに２つの円形リングの間に通してシートを挟み付ければ環状のベビースリングとなる。また、シートの拘束位置を変えることによって簡単にサイズ調節ができる（特許文献１参照）。
【０００３】
前記円形リングは、射出成形による樹脂製のものが一般的である。
【特許文献１】特開２００３−４７５４２号公報
【発明の開示】
【発明が解決しようとする課題】
【０００４】
前記円形リングを射出成形する際、環状のキャビティを有する金型のゲート部から溶融樹脂を注入すると、溶融樹脂はゲート部から２方向に分かれて流れ、ゲート部から１８０°の位置で融合してウエルド部が形成される。一般に射出成形品ではウエルド部の強度が他の部分よりも弱いものであり、耐荷重量を超えるとウエルド部分で割れる可能性が高い。
【０００５】
このような樹脂製の円形リングをベビースリングの連結具として用いた場合、シートの他端側を挟み付ける部分、即ちシートへの取り付け位置から１８０°の位置に最も荷重がかかり、ウエルド部がこの位置にあると最も破損の可能性が高くなる。
【０００６】
言うまでもなく、ベビースリングに用いられる円形リングは耐荷重量に十分な余裕をもたせて製作されているが、幼児の命を支える部材としてなお一層高強度の連結用リングが求められている。
【課題を解決するための手段】
【０００７】
本発明は、上述した技術背景に鑑み、優れた強度を有する連結用リング、およびこのリングを用いた安全性の高いベビースリングの提供を目的とする。
【０００８】
即ち、本発明の連結用リングおよびベビースリングは下記〔１〕〜〔６〕に記載の構成を有する。
【０００９】
〔１〕  射出成形によって製作された合成樹脂製の連結用リングであって、主環体の内周部に環の内方に突出する回動阻止部を有し、前記回動阻止部によって、前記主環体が該リングを取り付ける取付側環部と該リングに連結される連結側環部とに区分され、成形用金型内に注入された樹脂が融合するウエルド部が前記取付側環部に形成され、前記連結側環部にウエルド部を有さないことを特徴とする連結用リング。
【００１０】
〔２〕  前記回動阻止部は、主環体内に架設されたブリッジである前項１に記載の連結用リング。
【００１１】
〔３〕  前記回動阻止部は、主環体の内周部において所定距離を隔てて設けられた２つの突起である前項１に記載の連結用リング。
【００１２】
〔４〕  前記取付側環部内に、前記回動阻止部に並行する第２ブリッジが架設されている前項１〜３のいずれか１項に記載の連結用リング。
【００１３】
〔５〕  前記主環体は馬蹄形またはＤ字形に形成され、円形側が連結側環部となされ、角形側が取付側環部となされている前項１〜４のいずれか１項に記載の連結用リング。
【００１４】
〔６〕  帯状のシートの一端部に、前項１〜５のいずれか１項に記載された連結用リング２個が取付側環部において取り付けられたベビースリングであって、前記シートの他端側を前記２個の連結用リングの連結側環部から引き出し、さらにこれらの連結用リングの連結側環部の間をくぐらせて拘束することにより環状に連結されることを特徴とするベビースリング。
【発明の効果】
【００１５】
〔１〕の発明にかかる連結用リングは、ウエルド部が最も荷重のかかる主環体の連結側環部を避けて取付側環部に形成されているため、使用状態において高い強度を有する。また、回動阻止部によりリングの回動が防がれるので、使用中にウエルド部が最大荷重点に移動するおそれもない。
【００１６】
〔２〕〔３〕の各発明によれば、リングの回動を阻止することができる。
【００１７】
〔４〕の発明によれば、主環体の取付側環部または第２ブリッジのどちらかが破損しても、他方によってリングの脱落を防止できる。
【００１８】
〔５〕の発明によれば、取付側環部内における取り付け素材の納まりが良く、連結側環部においては連結素材をスライドさせ易い。
【００１９】
〔６〕の発明にかかるベビースリングによれば、連結用リングが取付側環部でシートに取り付けられ、ウエルド部が最も荷重のかかる主環体の連結側環部に存在しないため、使用状態において高い強度を有する。また、回動阻止部によりリングの回動が防がれるので、使用中にウエルド部が最大荷重点に移動するおそれもない。従って、安全性の高いベビースリングとなし得る。
【発明を実施するための最良の形態】
【００２０】
〔第１実施形態〕
図１Ａおよび図１Ｂに示すように、前記連結用リング(1)は、馬蹄形の主環体(10)の内部に架設された第１ブリッジ(11)により、円形側の連結側環部(12)と角形側の取付側環部(13)とに区分されている。さらに、取付側環部(13)の内部には前記第１ブリッジ(11)と平行な第２ブリッジ(14)が架設されている。前記主環体(10)は、連結側環部(12)で断面円形に形成され、取付側環部(13)の断面はアールを付けた角形に形成されている。また、第１ブリッジ(11)の断面形状は主環体(10)よりも小径の円形に形成され、第２ブリッジ(14)は第１ブリッジよりも断面積の大きい角形に形成されている。
【００２１】
前記連結用リング(1)はポリアミド樹脂からなる射出成形品である。射出成形に際しては、成形用金型の連結側環部(12)の中央に対応する位置（Ｇ）に設けられたゲート部から溶融樹脂が注入される。注入された樹脂はゲート部（Ｇ）から２方向に分かれて進み、第１ブリッジ(11)の中央、第２ブリッジ(14)の中央、主環体(10)の取付側環部(13)の中央の３箇所で樹脂が融合し、それぞれの位置にウエルド部（Ｗ１）（Ｗ２）（Ｗ３）が形成される。
【００２２】
次に、前記連結用リング(1)を用いたベビースリング(20)について、図２および図３を参照しつつ説明する。なお、図２および図３に示した２個の連結用リング(1A)(1B)はいずれも図１Ａおよび図１Ｂの連結用リング(1)と同一であるが、説明の都合上(1A)(1B)なる符号を用いる。
【００２３】
ベビースリング(20)において、帯状のシート(21)の一端部(21a)に２個の連結用リング(1A)(1B)が取り付けられている。即ち、シート(21)の一端部(21a)を、２個の連結用リング(1A)(1B)の第１ブリッジ(11)と第２ブリッジ(14)の間の孔(15)から引き出して第２ブリッジ(14)に掛け、一端部(21a)をループ状に形成して縫着したものである。これにより、２個の連結用リング(1A)(1B)は、これらの取付側環部(13)において第１ブリッジ(11)によりシート(21)に対して回動が阻止された状態で取り付けられている。
【００２４】
そして、前記シート(21)の他端部(21b)を２個の連結用リング(1A)(1B)の連結側環部(12)から引き出して上側の連結用リング(1A)に掛け、さらに下側の連結用リング(1B)の下をくぐらせている。これにより、前記シート(21)は環状に連結されている。前記シート(21)は、２個のリング(1A)(1B)の連結側環部(12)に挟み付けられて拘束されるが、拘束位置を変えることによって環状部の大きさを無段階で調節することができる。
【００２５】
上述したベビースリング(20)は、シート(21)の他端側(21b)の剰余部分を下に垂らした状態でたすき掛けにして幼児を収容すると、シート(21)が下方に引っ張られて上側の連結用リング(1A)が下側の連結用リング(1B)に強く押し付けられ、シート(21)は２個の連結用リング(1A)(1B)の間で強く拘束される。このような使用状態において、連結用リング(1A)(1B)の主環体(10)の連結側環部(12)の中央およびその近傍、即ち射出成形時のゲート部（Ｇ）およびその近傍に最も強く力がかかる。また、連結用リング(1A)(1B)は第１ブリッジ(11)によってシート(21)に対して回動が禁止されているため、ウエルド部（Ｗ１）（Ｗ２）（Ｗ３）は常にシート(21)の固定側にあって最大荷重点となることはなく、連結用リング(1A)(1B)はその使用状態において最も高い強度を発揮する。また、万一、第２ブリッジ(14)または主環体(10)の取付側環部(13)のどちらか破損しても、他方でシート(21)を支えるフェイルセーフ機能が働き、連結用リング(1A)(1B)がシート(21)から外れることはない。
【００２６】
〔第２実施形態〕
図４に示す連結用リング(2)は、回動阻止部として、図１の連結用リング(1)の第１ブリッジ(11)の代わりに、所定間隔離れた２箇所に突起(31)(31)が設けられたものである。換言すれば、前記第１ブリッジ(11)の中央部分を無くして、連結側環部(32)と取付側環部(33)とを一部連通状態で区分したものである。射出成形時のゲート部（Ｇ）を主環体(30)の連結側環部(32)に設けることにより、ウエルド部（Ｗ４）（Ｗ５）が主環体(30)の取付側環部(33)の中央および第２ブリッジ(34)の中央に形成されている。
【００２７】
シート(21)の一端部(21b)に前記連結用リング(2)の取付側環部(33)を取り付ける場合、シート(21)を引き出す孔(35)は連結側環部(32)に連通しているが、２つの突起(31)によって十分に連結用リング(2)の回動を阻止することができる。このため、ウエルド部（Ｗ４）（Ｗ５）は常にシート(21)の固定側に配置され、確実に最大荷重点を回避できる。
【００２８】
〔第３実施形態〕
図５に示す連結用リング(3)は、主環体(40)の環内に第１ブリッジ(41)のみが設けられ、連結側環部(42)と取付側環部(43)とに区分されたものである。このような連結用リング(3)においても、ゲート部（Ｇ）を主環体(40)の連結側環部(42)に設け、ウエルド部（Ｗ６）（Ｗ７）を第１ブリッジ(41)および取付側環部(43)に形成することにより、ウエルド部（Ｗ６）（Ｗ７）を最大荷重点から外すことができる。
【００２９】
即ち、前記連結用リング(3)をシート(21)に取り付ける場合、取付側環部(43)の第１ブリッジ(41)と主環体(40)との間の孔(45)からシート(21)を引き出し、シート(21)を主環体(40)に掛けるように縫着すれば、第１ブリッジ(41)によって連結用リング(3)の回動が阻止され、主環体(40)のウエルド部（Ｗ７）が最大荷重点に移動するおそれはなく、使用状態における強度を確保することができる。
【００３０】
前記連結用リング(3)は、図６に示すように、シート(21)を連結側環部(42)内に通して引き出してループ状に形成した第１ブリッジ(41)に掛けるとともに、シート(21)のループ内で補助ベルト(46)を前記孔(45)内に通してシート(21)に縫着することにより、さらに安全性を高めることができる。図６の状態において、シート(21)単独では連結用リング(3)の回動を阻止できないが、補助ベルト(46)と第１ブリッジ(41)とによって回動が阻止されるため、ウエルド部（Ｗ６）（Ｗ７）が最大荷重点に移動することはない。しかも、補助ベルト(46)の併用により、第１ブリッジ(41)のウエルド部（Ｗ６）または主環体(40)のウエルド部（Ｗ７）のどちらかで破損しても、他方で支えることができ、フェイルセーフ機能が働く。また、補助ベルト(46)はシート(21)によって隠されるので外観が損なわれることもない。
【００３１】
上述した３つの実施形態ではベビースリングを例示し、帯状シートの一端部に２個の連結用リングを取り付けてシートの他端側を連結する場合について説明したが、本発明の連結用リングの用途や使用方法はこれらの限定されるものではない。
【００３２】
ベビースリングの以外の用途として、バッグ類やインテリア用品におけるベルト連結等を例示でき、従来の円形リングと同様の各種分野で広く用いることができる。
【００３３】
また、使用方法は２個の連結用リングで挟み付けて連結することに限定されず、１個の連結用リングの連結側環部にフック等を係止させて連結することもできる。従って、連結される部材はシートに限定されない。勿論一つの部材を環状に連結することにも限定されず、２つの部材の連結に用いることもできる。
【００３４】
また、連結用リングの材質も射出成形可能な樹脂であれば何ら限定されず、寸法も何ら限定されない。連結用リングの用途に要求される強度、連結する部材の素材や寸法等に応じ、材料樹脂やリング寸法を任意に設定することができる。例えば、ベビースリングにように高い安全性が要求される用途では、強度の高いポリアミド樹脂を推奨できる。
【００３５】
また、主環体の形状も実施形態の馬蹄形に限定されず、Ｄ字形、円形、角形、楕円形等任意に設定することができる。馬蹄形あるいはＤ字形のリングのメリットは、角形側を取付側環部とすることで、取付側環部内におけるシート等の取り付け素材の納まりが良くなり、縫着の作業性が良い点である。一方、円形側を連結側環部とすることで、シート等の連結素材をスライドさせ易くなり容易に拘束位置を変更することができる。特に、ベビースリングでは幼児の身体を安全に支えるためにリングよりも幅の広いシートが用いられるため、幅広く嵩高いシートを取付側環部に取り付け易く、連結側環部でスムーズにスライドさせることができる点で馬蹄形あるいはＤ字形の連結用リングを推奨できる。
【００３６】
また、本発明はウエルド部の位置を規定するものであり、樹脂を注入するゲート部を規定するものではない。連結側環部にウエルド部が形成されない限り、ゲート部の位置および数は任意に設定することができる。また、ウエルド部が取付側環部の中央であることも要さない。
【産業上の利用可能性】
【００３７】
本発明の連結用リングは優れた強度を有するものであるから、各種部材の連結に用いることができる。特に高い安全性が求められる用いられるベビースリングの連結用リングに適している。
【図面の簡単な説明】
【００３８】
【図１Ａ】本発明の第１実施形態にかかる連結用リングの斜視図である。
【図１Ｂ】図１Ａの１Ｂ−１Ｂ線断面図である。
【図２】図１Ａの連結用リングをベビースリングに使用した例を示す斜視図である。
【図３】図２の部分拡大図である。
【図４】本発明の第２実施形態にかかる連結用リングの正面図である。
【図５】本発明の第３実施形態にかかる連結用リングおよびその使用方法を示す斜視図である。
【図６】図５の連結用リングの他の使用方法を示す斜視図である。
【符号の説明】
【００３９】
1,2,3…連結用リング
11,41…第１ブリッジ
14,34…第２ブリッジ
31…突起
20…ベビースリング
21…シート
Ｗ１、Ｗ２、Ｗ３、Ｗ４、Ｗ５、Ｗ６、Ｗ７…ウエルド部
【図１Ａ】
2007105259.tif 000003
【図１Ｂ】
2007105259.tif 000004
【図２】
2007105259.tif 000005
【図３】
2007105259.tif 000006
【図４】
2007105259.tif 000007
【図５】
2007105259.tif 000008
【図６】
2007105259.tif 000009